(57)【要約】【課題】無線通信システムにおける、移動局の送信電力制御において、過剰に連続してアップ命令のＴＰＣ情報を送信する基地局の影響を抑えること、また、過剰に連続してアップ命令のＴＰＣ情報を送信する基地局の影響を抑えることによって、移動局の消費電力を抑制すること、さらに、過剰に連続してアップ命令のＴＰＣ情報を送信する基地局の影響を抑えることによって、他の移動局にとっての干渉成分の発生を抑制し、無線通信システムの回線容量、品質の向上を図ること。【解決】移動局の無線受信回路の中における、基地局毎に逆拡散した信号を合成する回路に、基地局から送信されるＴＰＣ情報を、蓄積し演算することで、過剰に連続してアップ命令を出しているか否かを判断する手段を設ける。その結果、過剰に連続してアップ命令を出している場合には、その基地局からのＴＰＣ情報を無視するようマスク処理を行い、送信電力制御を行う。【選択図】図１
2006186757.tif 000002
【特許請求の範囲】
【請求項１】
ＣＤＭＡ無線通信システムに使用する移動局であって、
ソフトハンドオーバ中において複数の基地局から送信電力制御情報を受信する受信手段と、
前記受信した送信電力制御情報の変化傾向を予め定められた基準に従って判断する判断手段と、前記判断手段の結果に基づいて前記送信電力制御情報をマスクするマスク手段を
有することを特徴とする移動局。
【請求項２】
前記判断手段は、
前記受信した送信電力制御情報を蓄積する第１蓄積手段と、
前記蓄積された送信電力制御情報に対して所定の演算を行う第１演算手段と、を有し、
予め定められた基準により前記第１演算手段の結果から、前記受信した送信電力制御情報の変化傾向を判断することを特徴とする請求項１に記載の移動局。
【請求項３】
前記第１演算手段は、前記蓄積された送信電力制御情報を一定区間で移動平均することを特徴とする請求項２に記載の移動局。
【請求項４】
下り信号用送信電力制御情報（下り信号の送信電力制御に使用する送信電力制御情報）を蓄積する第２手段と、
前記蓄積された下り信号用送信電力制御情報にたいして所定の演算を行う第２の演算手段とを有し、予め定められた基準により前記前記第２演算手段の結果から、前記複数の基地局から送信電力制御情報をマスクすることを特徴とする請求項１乃至３のいずれかに記載の移動局。
【請求項５】
前記第２演算手段は、前記蓄積された下り信号用送信電力制御情報を一定区間で移動平均することを特徴とする請求項４に記載の移動局。
【請求項６】
ＣＤＭＡ無線通信システムに使用する移動局であって、
ソフトハンドオーバ中において、基地局毎の送信電力制御情報の変化傾向が予め定められた傾向である場合、前記予め定められた傾向をもつ基地局からの送信電力制御情報を送信電力制御で使用しないことを特徴とする移動局。
【請求項７】
ＣＤＭＡ無線通信システムに使用する移動局であって、
ソフトハンドオーバ対象の基地局を予め定められた基準に従って選別し、基準を満たしていない基地局からの送信電力制御情報を送信電力制御に使用しないことを特徴とする移動局。
【請求項８】
ソフトハンドオーバ中において、基地局からの送信電力制御情報のうち所定範囲内の送信電力制御情報を送信電力制御に用いることを特徴とするＣＤＭＡ無線システムに使用する移動局。
【請求項９】
ＣＤＭＡ無線通信システムの送信電力制御装置であって、
ソフトハンドオーバ対象の基地局からの送信電力制御情報を予め定められた基準に従って選別し、基準を満たさない基地局からの送信電力制御情報を送信電力制御に使用しないことを特徴とする送信電力制御装置。
【請求項１０】
ＣＤＭＡ無線通信システムの送信電力制御方法であって、
移動局がソフトハンドオーバ中において複数の基地局から送信電力制御情報を受信し、
前記受信した送信電力制御情報の変化傾向を予め定められた基準に従って判断し、
前記判断手段の結果に基づいて送信電力制御を行うことを特徴とする送信電力制御方法。
【請求項１１】
前記判断は、
前記受信した送信電力制御情報を蓄積する第１蓄積ステップと、
前記蓄積された送信電力制御情報に対して所定の演算を行う第１演算ステップと、
予め定められた基準により前記第１演算ステップの結果から、前記受信した送信電力制御情報の変化傾向を判断することを特徴とする請求項１０に記載の送信電力制御方法。
【発明の詳細な説明】
【技術分野】
【０００１】
本発明は、無線通信システムにおける送信電力制御方法、当該送信電力制御に用いる移動局に関する。特に、移動局が、複数の基地局と接続するような環境下における送信電力制御技術に関するものである。
【背景技術】
【０００２】
携帯電話、ＰＨＳ、ＰＤＡ、ページャ、無線ＬＡＮ接続機器等をはじめとする無線通信が可能な端末（無線通信端末）が、広く一般に普及してきており、サービス地域の拡大、サービスの多様化が今後ますます予想される。
【０００３】
無線通信技術には、ＴＤＭＡ（Time Division Multiple Access）方式、ＣＤＭＡ（Code Division Multiple Access）方式など様々な方式が存在する。ここでは、本発明を適用するに好ましいＣＤＭＡ方式について説明する。
【０００４】
ＣＤＭＡ方式の無線通信システムでは、以下のようにして通信が行われる。まず、送信側で、送信側ユーザの拡散符号により送信信号を拡散して送信する。受信側では、受信した信号を、送信側ユーザの拡散符号と同一の拡散符号を用いて逆拡散を行うことにより送信側ユーザの信号を復元する。
【０００５】
ＣＤＭＡ方式では、複数の通信主体が、お互いに直交する異なる拡散符号を使用することで各通信主体を区別することができ、複数の通信主体が同一周波数の無線信号を使用することが可能である。
【０００６】
しかし、使用するすべての拡散符号の直交性を完全に保つことは困難であり、実際にはそれぞれの拡散符号は完全な直交とはならず、他の符号との間に相関成分を有することとなる。これらの相関成分が通信に際し干渉成分となり、通信品質の劣化要因となる。このような要因で干渉成分が生じるため、通信主体の数が増えるに従って干渉成分も増加する。
【０００７】
さらに、一般に、無線通信システムにおいては、移動局（無線通信端末に相当）間を直結して情報伝達が行われることはなく、基地局を経由して行われる。よって、基地局に近接する移動局からの信号が遠方に位置する移動局の微弱な信号に干渉を与える状況が生ずる。ＣＤＭＡシステムでは、この問題（遠近問題という）による通信品質の劣化を防ぐために、移動局の送信電力を制御している。
【０００８】
送信電力制御について、Ｗ−ＣＤＭＡ（Wideband-CDMA：IMT-2000の一つ）を例に説明する。基地局は、それぞれの移動局との間に設定された通信回線により得られるEb/I0（希望受信波電力（Eb）対干渉波電力（IO）比）が、最低限度の通信品質を確保するために必要なEb/I0となるように各移動局の送信電力の制御を行っている。具体的には、以下の通りである。
【０００９】
基地局は、基地局から移動局への下り信号により、移動局が基地局に対して送信する際の送信電力のアップ／ダウンを命令するＴＰＣ（Transmission Power Control：送信電力制御）情報を、一定周期毎に送信する。基地局は、移動局からの受信信号の信号対干渉比（Signal to Interference Ratio:SIR）がEb/I0より小さい場合は、送信電力を上げるようＴＰＣ情報を移動局に送信し（アップ命令）、逆にその移動局からの受信信号のＳＩＲがEb/I0よりも大きい場合は、送信電力を下げるようＴＰＣ情報を移動局に送信する（ダウン命令）。ここで、受信信号のＳＩＲは無線通信品質を表す一つの基準となる。移動局は基地局から受信したＴＰＣ情報に基づいて基地局への上り信号の送信電力を制御する（非特許文献１）。
【００１０】
また、送信電力制御は下り回線の電力についても行われる。すなわち、移動局から基地局に送信する上り信号に、基地局が移動局に対して送信する際の送信電力のアップ／ダウンを命令するためのＴＰＣ情報を含ませ、基地局は移動局から受信したＴＰＣ情報に基づいて移動局に対する信号の送信電力を制御する（非特許文献２）。
【００１１】
ところで、基地局毎に使用する信号の周波数が異なる無線通信システムでは、ハンドオーバ（移動局の移動に際し、自動的に基地局を切り替えて通信を継続する機能）毎に周波数を切り替える必要が生じるため通信状態に瞬断が生じる。
【００１２】
しかし、Ｗ−ＣＤＭＡ方式では各基地局は同一の無線周波数の信号を使用することが可能であるため、ハンドオーバ時に移動局が各基地局に対応した受信周波数に切り替えを行う必要がない。よって、Ｗ−ＣＤＭＡ方式では、通信状態に瞬断が生じずにハンドオーバ可能なソフトハンドオーバ（Soft Hand Over：SHO）を行うことができる（非特許文献３）。
【００１３】
ＳＨＯとは、移動局が、隣接する複数の基地局に対して、同一周波数の信号を用いて同時に通信接続してハンドオーバする方式であり、Ｗ−ＣＤＭＡ方式に特徴的な技術である。
【００１４】
ところで、Ｗ−ＣＤＭＡ方式においては、ＳＨＯ中でも移動局と基地局間の上り信号、下り信号の送信電力制御が行われる。下り信号の送信電力制御においては、移動局は、通信接続した複数の基地局に対して同一のＴＰＣ情報を送信する。
【００１５】
上り信号の送信電力制御においては、移動局は、通信接続した複数の基地局から受信した複数のＴＰＣ情報に基づいて送信電力制御を行う。しかし、送信回路は通常一つであるため、複数のＴＰＣ情報を単一のＴＰＣ情報に縮退させることが必要である。
【００１６】
複数のＴＰＣ情報を単一のＴＰＣ情報に縮退させる情報処理の方法には、種々のものが考えられるが、標準仕様書ではアルゴリズム１とアルゴリズム２が規定されている（非特許文献１）。
【００１７】
ところで、複数の基地局と一つの移動局との間で送信電力制御をしている系において、一部の基地局が、移動局の送信電力のアップ命令を含むＴＰＣ情報を送信し、移動局がアップ命令に応じて送信電力を増大した場合でも、所望の通信品質を満たさない場合がある。
【００１８】
上記現象の原因は色々と考えられる。例えば、複雑なフェージングが生じる環境においては、フェージングの影響により、パワーをあげてもビットエラー発生率（ＢＥＲ）が改善せず、結果として通信品質を満たさないことがある。その場合、基地局は、移動局の送信信号が所望の通信品質を満たしていないとして、移動局に対して送信電力のアップ命令のＴＰＣ情報を送信し続ける。
【００１９】
また、移動局と基地局の距離が著しく遠方にある場合においても、基地局は移動局に対して送信電力のアップ命令のＴＰＣ情報を送信し続ける。
【００２０】
さらに、基地局が故障した場合も、基地局が移動局に対して送信電力のアップ命令のＴＰＣ情報を送信し続ける場合がある。
【００２１】
このように、一部の基地局からのＴＰＣ情報が、連続してアップ命令である場合、移動局の送信電力が過剰に上昇し、必要以上の強い送信電力で信号を送信する恐れがある。
【００２２】
一つの移動局が必要以上に強い送信電力で通信を行うと、他の移動局にとっての干渉成分が増大することなり、他の移動局にとって好ましくない。また、干渉成分が多くなることは基地局の通信回線容量の低下につながる。
【００２３】
次に、本発明の属する技術の分野において、ＳＨＯ中の送信電力制御に関連する先行技術について開示を行う。
【００２４】
刊行物１には、ＣＤＭＡ方式のソフトハンドオーバ中の移動局の送信電力制御に関する技術が開示されている（特許文献１）。刊行物１に記載の発明の目的は、ソフトハンドオーバ時において移動局の送信電力を最適に制御することである。ＳＨＯ中に、複数の基地局から別々のＴＰＣ情報を受信した移動局は、ＴＰＣ情報を所定の時定数で平均化した受信電力（信号電力）と最近の所定期間内の平均ＳＩＲとに基づいて、信号電力に比例し、雑音電力に反比例する重み付けを行うための信頼度情報を算出し、各基地局から受信したＴＰＣ情報を信頼度情報で重み付けを行い、その結果に基づいて送信電力制御を行う。
【００２５】
刊行物１の技術では、ＴＰＣ情報を所定の時定数で平均化しているものの、過剰に連続してアップ命令を含むＴＰＣ情報を送信する基地局の影響を抑えた送信電力制御を行うことはできない。
【００２６】
刊行物２には、ＣＤＭＡ方式の送信電力制御に関する技術が開示されている（特許文献２）。刊行物２の技術は、制御遅延が存在する場合に送信電力制御量であるステップサイズΔを変更することで、送信電力制御誤差を低減することを目的とする。ＴＰＣコマンドの統計的性質と最適ステップサイズとの既知の関係を利用して制御を行う。具体的には、ＴＰＣビットを蓄積し、統計処理を行ってステップサイズΔを決定する。しかしながら、刊行物２の技術では、過剰に連続してアップ命令を含むＴＰＣ情報を送信する基地局の影響を抑えた送信電力制御を行うことはできない。
【００２７】
【特許文献１】ＷＯ９９／３７１１１
【特許文献２】特開２００１−２１１１１９
【非特許文献１】”３ＧＰＰ  ＴＳ  ２５．２１４  Ｖ３．１２．０、ｐ１１−２１”、[online]、２００３年４月４日、3GPP、[平成１６年７月７日検索]、インターネット＜URL：http://www.3gpp.org/ftp/Specs/html-info/25214.htm＞
【非特許文献２】”３ＧＰＰ  ＴＳ  ２５．２１４  Ｖ３．１２．０、ｐ２１−２７”、[online]、２００３年４月４日、3GPP、[平成１６年７月７日検索]、インターネット＜URL：http://www.3gpp.org/ftp/Specs/html-info/25214.htm＞
【非特許文献３】松尾憲一著,「スペクトラム拡散技術のすべて」，東京電機大学出版局，２００２年５月３０日，ｐ２３０−２３１
【発明の開示】
【発明が解決しようとする課題】
【００２８】
本願発明の解決しようとする課題は、移動局の送信電力制御において、先に説明した過剰に連続してアップ命令のＴＰＣ情報を送信する基地局の影響を抑えることにある。
【００２９】
また、過剰に連続してアップ命令のＴＰＣ情報を送信する基地局の影響を抑えることによって、移動局の消費電力を抑制することも本願発明の解決しようとする課題である。
【００３０】
さらに、過剰に連続してアップ命令のＴＰＣ情報を送信する基地局の影響を抑えることによって、他の移動局にとっての干渉成分の発生を抑制し、無線通信システムの回線容量、品質の向上を図ることも本願発明の解決しようとする課題である。
【００３１】
また、過剰に連続してアップ命令のＴＰＣ情報を送信する基地局の判断にあたって、移動局から送信する下り回線の電力制御用ＴＰＣ情報の履歴を利用することによって、より適切な送信電力制御を行うことも、本願発明の解決しようとする課題である。
【課題を解決するための手段】
【００３２】
上記課題を解決するために、請求項１に記載の基地局は、
ＣＤＭＡ無線通信システムに使用する移動局であって、
ソフトハンドオーバ中において複数の基地局から送信電力制御情報を受信する受信手段と、
前記受信した送信電力制御情報の変化傾向を予め定められた基準に従って判断する判断手段と、前記判断手段の結果に基づいて前記送信電力制御情報をマスクするマスク手段を
有することを特徴とする。
【００３３】
また、好ましい態様として、前記判断手段は、
前記受信した送信電力制御情報を蓄積する第１蓄積手段と、
前記蓄積された送信電力制御情報に対して所定の演算を行う第１演算手段と、を有し、
予め定められた基準により前記第１演算手段の結果から、前記受信した送信電力制御情報の変化傾向を判断してもよい。
【００３４】
また、好ましい態様として、前記第１演算手段は、前記蓄積された送信電力制御情報を一定区間で移動平均してもよい。
【００３５】
また、好ましい態様として、下り信号用送信電力制御情報（下り信号の送信電力制御に使用する送信電力制御情報）を蓄積する第２手段と、
前記蓄積された下り信号用送信電力制御情報にたいして所定の演算を行う第２の演算手段とを有し、予め定められた基準により前記前記第２演算手段の結果から、前記複数の基地局から送信電力制御情報をマスクしてもよい。
【００３６】
また、好ましい態様として、前記第２演算手段は、前記蓄積された下り信号用送信電力制御情報を一定区間で移動平均してもよい。
【００３７】
上記課題を解決するために、請求項６に記載の基地局は、
ＣＤＭＡ無線通信システムに使用する移動局であって、
ソフトハンドオーバ中において、基地局毎の送信電力制御情報の変化傾向が予め定められた傾向である場合、前記予め定められた傾向をもつ基地局からの送信電力制御情報を送信電力制御で使用しないことを特徴とする。
【００３８】
上記課題を解決するために、請求項７に記載の基地局は、
ＣＤＭＡ無線通信システムに使用する移動局であって、
ソフトハンドオーバ対象の基地局を予め定められた基準に従って選別し、基準を満たしていない基地局からの送信電力制御情報を送信電力制御に使用しないことを特徴とする。
【００３９】
上記課題を解決するために、請求項８に記載の基地局は、
ソフトハンドオーバ中において、基地局からの送信電力制御情報のうち所定範囲内の送信電力制御情報を送信電力制御に用いることを特徴とするＣＤＭＡ無線システムに使用する。
【００４０】
上記課題を解決するために、請求項６に記載の送信電力制御装置は、
ＣＤＭＡ無線通信システムの送信電力制御装置であって、
ソフトハンドオーバ対象の基地局からの送信電力制御情報を予め定められた基準に従って選別し、基準を満たさない基地局からの送信電力制御情報を送信電力制御に使用しないことを特徴とする。
【００４１】
上記課題を解決するために、請求項１０に記載の送信電力制御方法は、
ＣＤＭＡ無線通信システムの送信電力制御方法であって、
移動局がソフトハンドオーバ中において複数の基地局から送信電力制御情報を受信し、
前記受信した送信電力制御情報の変化傾向を予め定められた基準に従って判断し、
前記判断手段の結果に基づいて送信電力制御を行うことを特徴とする。
【００４２】
また、好ましい態様として、前記判断は、
前記受信した送信電力制御情報を蓄積する第１蓄積ステップと、
前記蓄積された送信電力制御情報に対して所定の演算を行う第１演算ステップと、
予め定められた基準により前記第１演算ステップの結果から、前記受信した送信電力制御情報の変化傾向を判断してもよい。
【発明の効果】
【００４３】
本願発明によって、ＣＤＭＡ無線システムの送信電力制御において、過剰に連続してアップ命令のＴＰＣ情報を送信する基地局の影響を抑えることができる。
【００４４】
本願発明によって、不必要に移動局の出力電力が上昇する現象を回避することができるため、移動局の消費電力を抑制することができる。
【００４５】
本願発明によって、過剰に連続してアップ命令のＴＰＣ情報を送信する基地局の影響を抑えることによって、他の移動局にとっての干渉成分の発生を抑制し、無線通信システムの回線容量、品質の向上を図ることができる。
【発明を実施するための最良の形態】
【００４６】
本発明を実施するための最良の形態について、Ｗ−ＣＤＭＡ標準技術を前提に説明する。なお、以下説明する実施形態は、本願発明の技術的範囲を制限するものではない。
【実施例１】
【００４７】
本願発明の第１の実施例について説明する。図１は、本願発明にかかる移動局の受信回路のブロック図である。
【００４８】
送受信アンテナ１０１は通信を行うためのアンテナである。ＲＦ部１０２は、増幅器、ＡＤコンバータ、ＤＡコンバータ等から構成される回路群である。パスサーチ回路１０３は基地局から受信した信号のパス毎のタイミングを抽出する回路であり、逆拡散部１０４−１〜１０４−ｎは、予め定められた符号を用いて信号の逆拡散を行う回路である。ここでｎは正の整数である。合成部１０５は、逆拡散部１０４−１〜１０４−ｎの出力を基地局毎に分けて信号を合成する処理およびその他の情報処理を行う回路である。
【００４９】
送信電力制御部１０８は、ＴＰＣ情報最終合成結果に基づいて、ＲＦ部１０２内の図示しない増幅器の増幅度を調整する回路である。拡散部１０９は所定の拡散符号を用いて、送信データを拡散する回路である。また、ＴＰＣ挿入部１１０は合成部１０５で作られたＵＬ＿ＴＰＣ情報を挿入する部分である。ここで、ＵＬ＿ＴＰＣ情報とは、上り信号に挿入されたＴＰＣ情報であり、下り信号の電力制御に使用されるＴＰＣ情報である。
【００５０】
ＴＰＣ累積演算部１０６は、合成部１０５にて軟判定処理の結果抽出した基地局ごとのＴＰＣ情報を演算する機能を有している。メモリ１０７は種々の情報を記憶する機能を有しており、合成部１０５、ＴＰＣ累積演算部１０６で行う処理に使用される。
【００５１】
次に、図１の受信回路の動作について説明する。複数の基地局から送信された信号は、無線アンテナ１０１によって受信され、ＲＦ部１０２にて、増幅、ＡＤ変換等の処理がされる。ディジタル化された信号の一部はパスサーチ回路１０３に入力される。パスサーチ回路１０３では、タイミング情報が抽出され、タイミング情報は逆拡散部１０４−１〜１０４−ｎへ入力される。
【００５２】
一方、ＲＦ部１０２にてディジタル化された信号の一部は逆拡散部１０４−１〜１０４−ｎへも入力される。逆拡散部１０４−１〜１０４−ｎでは、パスサーチ回路１０３で抽出されたタイミングに合わせて、定められた符号を受信信号に掛け合わせることにより逆拡散処理を行う。逆拡散処理された受信信号は、合成部１０５に入力される。
【００５３】
合成部１０５は、信号の合成およびそれに付随する各種の情報処理を行う。まず複数の逆拡散処理された受信信号を基地局毎に分けて合成する。例えば、基地局Ａから３つのパスを経て信号が受信された場合には、その３つのパスを合成し、基地局Ｂから２つのパスを経て信号が受信された場合には、その２つのパスを合成する。以下の説明において、基地局毎に合成されたＴＰＣ情報を「合成後ＴＰＣ情報」と記載する。
【００５４】
合成部１０５は、基地局毎に複数ある合成後ＴＰＣ情報の合成処理も行う。合成後ＴＰＣ情報をさらに合成した情報をここでは「ＴＰＣ情報最終合成結果」と記載する。
【００５５】
合成処理は軟判定にて行う。ＴＰＣ情報最終合成結果は送信電力制御部１０８へ入力される。送信電力制御部１０８は軟判定結果に基づいて基地局へ送信する信号の電力を制御する。
【００５６】
合成部１０５は、合成後ＴＰＣ情報をメモリ１０７に蓄積する。ＴＰＣ累積演算部１０６はメモリ１０７から合成後ＴＰＣ情報を得て、過剰に連続してアップ命令のＴＰＣ情報を送信しているか否かを判断するための演算を行い、演算結果をマスク情報として合成部１０５に入力する。
【００５７】
ここでマスク情報とは、合成後ＴＰＣ情報をさらに合成する演算処理において使用しない基地局を記録した情報である。マスク情報にマスク対象として記録された基地局の合成後ＴＰＣ情報は、ＴＰＣ情報最終合成結果を求める演算処理では使用されない。一方、マスク情報にマスク対象として記録されていない基地局の合成後ＴＰＣ情報は、ＴＰＣ情報最終合成結果を求める演算処理で使用される。
【００５８】
また、合成部１０５では、基地局毎に合成された受信信号の強度に基づいて、ＵＬ＿ＴＰＣ情報が生成される。複数基地局がある場合のＵＬ＿ＴＰＣ情報の生成法の詳細については標準仕様書に記載があるが（非特許文献２）、ここでは詳細に立ち入らない。生成されたＵＬ＿ＴＰＣ情報はＴＰＣ挿入部１１０へ入力される。ＴＰＣ挿入部１１０では送信データにＵＬ＿ＴＰＣ情報を挿入する。ＵＬ＿ＴＰＣ情報を挿入された送信データは、拡散部１０９に入力され、定められた拡散符号にて拡散された後、ＲＦ部１０２へ入力される。送信データは、ＲＦ部１０２にてＤＡ変換、増幅等が行われ送受信アンテナ１０１から出力される。
【００５９】
合成部１０５の合成後ＴＰＣ情報の生成動作について、図２を用いて説明する。合成部１０５は、スタート（Ｓ２００）の後、逆拡散部１０４−１〜１０４−ｎより各パスからの受信データを受ける（Ｓ２０１）。次に、逆拡散部１０４−１〜１０４−ｎにて抽出された各パスごとのＴＰＣ情報を基地局毎に合成する（Ｓ２０２）。同一基地局から複数のパスを経由して信号を受信した場合には、複数のＴＰＣ情報は、軟判定処理により、単一のＴＰＣ情報に縮退される。前述の通り、ここでは、縮退後のＴＰＣ情報を合成後ＴＰＣ情報という。
【００６０】
合成後ＴＰＣ情報をＴＰＣ累積演算部１０６に報告する（Ｓ２０３）。具体的には、合成後ＴＰＣ情報をメモリ１０７へ入力し、ＴＰＣ累積演算部１０６がメモリ１０７から合成後ＴＰＣ情報を取得することで報告が行われる。ＴＰＣ累積演算部１０６へ入力された合成後ＴＰＣ情報は、ＴＰＣ累積演算部１０５で処理されマスク情報が算出される。
【００６１】
ＴＰＣ累積演算部１０６が行う当該処理の具体的内容について、図３を用いて説明する。
【００６２】
スタート（Ｓ３００）後、合成部１０５から合成後ＴＰＣ情報を受信する（Ｓ３０１）。ＴＰＣ累積演算部１０６は基地局毎に合成後ＴＰＣ情報をメモリ１０７に順次、蓄積し、マスク情報抽出のための演算を行う（Ｓ３０２）。
【００６３】
演算の内容について詳細に説明する。合成部１０５から合成後ＴＰＣ情報を受信したＴＰＣ累積演算部１０６は、合成後ＴＰＣ情報がアップ命令であれば１を、ダウン命令であれば０を加算し、以下の計算式で表される演算を行う。
【００６４】
【数１】
2006186757.tif 000003
【００６５】
ここでＡＤＤ＿ＴＰＣ（ｎ）は求める演算結果として、ｎ番目における移動平均値を表す。ＴＰＣ（ｎ）はｎ番目に受信された合成後ＴＰＣ情報を表し、アップ命令＝１、ダウン命令＝０とする。ｍは移動平均を行う平均区間（以下、指定期間と言う）を表している。蓄積するＴＰＣ情報がｍを超えた場合、ＴＰＣ（ｎ−ｍ）、ＴＰＣ（ｎ−ｍ＋１）…という具合に、古い方から順次削除する。
【００６６】
上記演算によって、基地局から受信したＴＰＣ情報の変化傾向が算出される。例えば、ｍ＝１０で、閾値Ｔｈ＝７／１０の場合を考えると、直近１０サンプルのＴＰＣ情報のうち８つ以上アップ命令を含んでいる場合には、ＡＤＤ＿ＴＰＣ（ｎ）≧Ｔｈとなり、ＴＰＣ情報がアップ命令を含んでいる頻度が高い傾向であることがわかる。また、逆に、ＡＤＤ＿ＴＰＣ（ｎ）≦Ｔｈの場合には、ＴＰＣ情報がアップ命令を含んでいる頻度が低く、比較的アップ命令、ダウン命令が適度に分散されて含まれている傾向であることがわかる。
【００６７】
次に、上記演算を行うに際し、合成後ＴＰＣ情報が指定期間分蓄積されているか、すなわち合成後ＴＰＣ情報がｍ個累積されているか否かについて判断する（Ｓ３０３）。
【００６８】
指定期間の間、合成後ＴＰＣ情報をメモリ１０７にｍ個蓄積したと判断した場合には（Ｓ３０３、ＹＥＳ）、演算結果が閾値Ｔｈを超えているか否かを判断する（Ｓ３０４）。演算結果が閾値Ｔｈを超えている場合には（Ｓ３０４、ＹＥＳ）、閾値Ｔｈを超えた基地局に対してマスクする旨のマスク情報をメモリ１０７に保存し（Ｓ３０５）、Ｓ３０７の処理へ進む。
【００６９】
一方、指定期間の間、合成後ＴＰＣ情報をメモリ１０７に累積したと判断しない場合には（Ｓ３０３、ＮＯ）、Ｓ３０７へ進む。
【００７０】
また、演算結果が閾値Ｔｈを超えていない場合には（Ｓ３０４、ＮＯ）、マスク情報をクリアし（Ｓ３０６）、Ｓ３０７の処理へ進む。
【００７１】
Ｓ３０７では、移動局が受信しているすべての基地局に対してマスク情報算出のための所定の演算が行われたか否かを判断する。すべての基地局に対して所定の演算をしていない場合には（Ｓ３０７、ＮＯ）、残りの基地局からの合成後ＴＰＣ情報についてＳ３０２からの処理を行う。
【００７２】
一方、すべての基地局に対してマスク情報を残すか否かの判断をした場合には（Ｓ３０７、ＹＥＳ）、マスク情報が受信しているすべての基地局からの合成後ＴＰＣ情報をマスクすべき旨を指示しているか否かを判断する（Ｓ３０８）。
【００７３】
マスク情報が、受信しているすべての基地局からの合成後ＴＰＣ情報についてマスクすべき旨の指示をしていると判断した場合には（Ｓ３０８、ＹＥＳ）、マスク情報を全てクリアする（Ｓ３０９）。すなわち、マスク情報を、すべての基地局からの合成後ＴＰＣ情報についてマスクしない旨の情報に書き換える。
【００７４】
全ての基地局からの合成後ＴＰＣ情報をマスクしてしまうと、送信電力制御を行うことができなくなるからであり、この不都合を回避するためである。
【００７５】
また、受信しているすべての基地局からの合成後ＴＰＣ情報をマスクすべき旨の指示をしていると判断しない場合には（Ｓ３０８、ＮＯ）、Ｓ３０９の処理（マスク情報のクリア）を行わず、Ｓ３１０の処理へと進む。
【００７６】
Ｓ３１０では、マスク情報を合成部１０５に通知する。具体的にはメモリ１０７を介して行う。
【００７７】
次に、図４を用いてその後のＴＰＣ累積演算部１０６の動作を説明する。
【００７８】
マスク情報は、その後ＴＰＣ累積演算部１０６から出力され、合成部１０５へ入力される（Ｓ４０１）。
【００７９】
合成部１０５はマスク情報に従い基地局毎に合成後ＴＰＣ情報をマスクする（Ｓ４０２）。ただし、マスクすべき指定がされていない基地局に対してはマスクしないし、すでにその基地局がマスクすべき基地局として指定されていた場合には、その基地局に対するマスクを解除する。
【００８０】
次に、合成部１０５は、マスクされていない基地局毎の合成後ＴＰＣ情報をさらに合成する（Ｓ４０３）。
【００８１】
ＴＰＣ情報最終合成結果を得る方法には、前述の通り、標準仕様にはアルゴリズム１とアルゴリズム２が存在するのは、前述の通りである。本実施例においては、このほかにも、例えば、信号の受信パワーが最も高い基地局からのＴＰＣのみを使用する方法、複数のＴＰＣ情報を信号の受信パワーに比例した重み付けを行った結果を二値判定する方法などで可能である。
【００８２】
合成部１０５は送信電力制御部１０８にＴＰＣ情報最終合成結果を通知し（Ｓ４０４）、終了する（Ｓ４０５）。
【００８３】
以上説明したとおり、第１の実施例により、過剰に連続してアップ命令のＴＰＣ情報を送信する基地局の影響を抑えた送信電力制御が実現できる。
【実施例２】
【００８４】
本願発明の第２の実施例について説明する。第２の実施例が第１の実施例と異なる点は、移動平均の計算において、重み付け処理を行うことである。計算式は、以下の通りである。
【００８５】
【数２】
2006186757.tif 000004
【００８６】
ここで、ＡＤＤ＿ＴＰＣ（ｎ）は求める演算結果として、ｎ番目における重み付け処理された平均値を表す。ＴＰＣ（ｎ）はｎ番目に受信された合成後ＴＰＣ情報を表し、アップ命令＝１、ダウン命令＝０とする。ｍは移動平均を行う平均区間（以下、指定期間と言う）を表している。蓄積するＴＰＣ情報がｍを超えた場合、ＴＰＣ（ｎ−ｍ）、ＴＰＣ（ｎ−ｍ＋１）…という具合に、古い方から順次削除する。
【００８７】
αは重み付け係数であり、以下の関係式を満たすことが望ましい。
【００８８】
０≦α（ｎ）≦１、且つ、
α（ｎ−ｍ）≦・・・≦α（ｎ−２）≦α（ｎ−１）≦α（ｎ）
αは、現在に近い合成後ＴＰＣ情報の係数になるほど大きくなる。このことにより、移動平均値は、信頼度の高い合成後ＴＰＣ情報の寄与が大きいものとなる。
【００８９】
この態様は、たとえば、移動局が移動している場合には、特に好ましい。移動中では、時々刻々と電波の伝播状態が変化し、フェージングの影響も変化するため、過去の合成後ＴＰＣ情報になればなるほど（ｎから遠ざかるほど）、現在の電波の伝播状態を反映した情報から遠ざかる。逆に言えば、現在に近い合成後ＴＰＣ情報になればなるほど（ｎに近づくほど）現在の電波の伝播状態を反映した情報として信頼度が高くなる。
【００９０】
よって、より信頼度の高い合成後ＴＰＣ情報に重み付けすることによって移動平均の計算をすることで、送信電力制御の品質向上に寄与することができる。
【実施例３】
【００９１】
次に、本願発明の第３の実施例について説明する。第１又は第２の実施例と異なるのは、図４の動作に該当する合成部１０５の動作である。その他は第１、第２の実施例と同様であり、説明の冗長を避けるために省略する。
【００９２】
本願発明の第３の実施例にかかる合成部１０５の動作について、図５を用いて説明する。
【００９３】
第１の実施例と異なる部分は、移動局が送信するＵＬ＿ＴＰＣ情報をマスク情報の計算のために使用する点である。具体的な処理は図５のＳ５０１からＳ５０５である。
【００９４】
ＴＰＣ累積演算部１０６からＴＰＣのマスク情報を受信した（Ｓ５０１）後、基地局へ送信するＵＬ＿ＴＰＣ情報を取得し、演算する（Ｓ５０２）。
【００９５】
演算の内容について詳細に説明する。合成部１０５からＵＬ＿ＴＰＣ情報を受信したＴＰＣ累積演算部１０６は、ＵＬ＿ＴＰＣ情報がアップ命令であれば１を、ダウン命令であれば０を加算し、以下の計算式で表される演算を行う。
【００９６】
【数３】
2006186757.tif 000005
【００９７】
ここで、ＵＬ＿ＡＤＤ＿ＴＰＣ（ｎ）は求める累積結果として、ｎ番目における移動平均値を表す。ＵＬ＿ＴＰＣ（ｎ）はｎ番目に受信されたＵＬ＿ＴＰＣ情報を表し、アップ命令＝１、ダウン命令＝０とする。ｍは移動平均を行う平均区間（以下、指定期間）を表している。蓄積するＵＬ＿ＴＰＣ情報がｍを超えた場合、古い方から順次削除する。
【００９８】
次に、上記演算を行うに際し、ＵＬ＿ＴＰＣ情報が指定期間分、蓄積されているか、すなわちＵＬ＿ＴＰＣ情報がｍ個累積されているか否かについて判断する（Ｓ５０３）。
【００９９】
予め定められた指定期間の間、ＵＬ＿ＴＰＣ情報をメモリ１０７に累積したと判断した場合には、（Ｓ５０３、ＹＥＳ）、演算結果が閾値ＵＬ＿Ｔｈを超えているか否かについて判断する（Ｓ５０４）。演算結果が閾値ＵＬ＿Ｔｈを超えている場合には（Ｓ５０４、ＹＥＳ）、マスクする旨の情報をクリアする（Ｓ５０５）。
【０１００】
動作について説明する。ＵＬ＿ＴＰＣ情報の移動平均が閾値ＵＬ＿Ｔｈを超えているということは、ＵＬ＿ＴＰＣ情報は基地局からのパワーにより決定されるので、基地局からの信号が弱いということを意味している。この場合は、基地局からの連続するアップ命令のＴＰＣ情報は、電波環境の悪化等の自然な原因に起因する可能性が高く、「過剰な」アップ命令ではない可能性が高い。
【０１０１】
よって、適切な電力制御のためには、マスク情報をクリアする方が望ましい。
【実施例４】
【０１０２】
次に、本願発明の第４の実施例について説明する。第４の実施例が第３の実施例と異なる点は、移動平均の計算において、重み付け処理を行うことである。計算式は以下の通りである。
【０１０３】
【数４】
2006186757.tif 000006
【０１０４】
ここで、ＵＬ＿ＡＤＤ＿ＴＰＣ（ｎ）は求める累積結果として、ｎ番目における重み付け処理された平均値を表す。ＵＬ＿ＴＰＣ（ｎ）はｎ番目に受信されたＵＬ＿ＴＰＣ情報を表し、アップ命令＝１、ダウン命令＝０とする。ｍは移動平均を行う平均区間（以下、指定期間と言う）を表している。蓄積するＴＰＣ情報がｍを超えた場合、古い方から順次削除する。
【０１０５】
αは重み付け係数であり、以下の関係式を満たすことが望ましい。
【０１０６】
０≦α（ｎ）≦１、且つ、α（ｎ−ｍ）≦・・・≦α（ｎ−２）≦α（ｎ−１）≦α（ｎ）
αは、現在に近いＵＬ＿ＴＰＣ情報の係数になるほど大きくなる。よって、移動平均値は、信頼度の高いＵＬ＿ＴＰＣ情報の寄与が大きいものとなる。
【０１０７】
この態様は、たとえば、移動局が移動している場合には、特に好ましい。移動中では、時々刻々と電波の伝播状態が変化し、フェージングの影響も変化するため、過去のＵＬ＿ＴＰＣ情報になればなるほど（ｎから遠ざかるほど）、現在の電波の伝播状態を反映した情報から遠ざかる。逆に言えば、現在に近いＵＬ＿ＴＰＣ情報になればなるほど（ｎに近づくほど）現在の電波の伝播状態を反映した情報として信頼度が高くなる。
【０１０８】
よって、より信頼度の高いＵＬ＿ＴＰＣ情報に重み付けすることによって移動平均の計算をすることで、送信電力制御の品質向上に寄与することができる。
【実施例５】
【０１０９】
次に、その他の実施例について説明する。
【０１１０】
上記各実施例で、ＡＤＤ＿ＴＰＣ（ｎ）の算出で使用する指定期間ｍと、ＵＬ＿ＡＤＤ＿ＴＰＣ（ｎ）の算出で使用する指定期間ｍは異なる値でも構わない。
【０１１１】
上記各実施例で、ＡＤＤ＿ＴＰＣ（ｎ）又はＵＬ＿ＡＤＤ＿ＴＰＣ（ｎ）の算出で使用する指定期間ｍは、移動局の状況に合わせて変更してもよい。例えば、移動局が空間移動をしている場合には、電波環境は時々刻々と変化していており、古いＴＰＣ（ｎ）、ＵＬ＿ＴＰＣ（ｎ）の影響は小さいため、ｍを小さくしてもよい。また、移動局が空間移動していない場合には、同じ理由によりｍを大きくしてもよい。ｍの変更は動的に行っても、静的に行ってもよい。
【０１１２】
上記各実施例で、閾値Ｔｈ、ＵＬ＿Ｔｈは、移動局の電波環境に合わせて変更してもよい。例えば、電波状態が悪い場合には、Ｔ閾値Ｔｈ、ＵＬ＿Ｔｈを低くして、影響を小さくしてもよい。また、閾値Ｔｈ、ＵＬ＿Ｔｈを、電波環境をパラメータとする関数で表現し、電波環境に合わせて変更してもよい。電波環境を表すパラメータとしては、例えばパイロットチャネルのＳＩＲを用いればよい。変更は動的であっても、静的であってもよいが、０≦Ｔｈ、ＵＬ＿Ｔｈ≦１を満たす必要はある。
【０１１３】
上記各実施例で、ＡＤＤ＿ＴＰＣ（ｎ）又はＵＬ＿ＡＤＤ＿ＴＰＣ（ｎ）の算出に際し、アップ命令＝１、ダウン命令＝０としたが、アップ命令＝０、ダウン命令＝１としてもよいし、他の値でも構わない。ただしこの場合は、閾値Ｔｈ、ＵＬ＿Ｔｈの値も変更する必要が生じる場合がある。
【０１１４】
合成部と演算部は同一プロセッサによって構成されてもよい。
図１では合成部１０５、ＴＰＣ累積演算部１０６は別回路で説明したが、同一回路でも構わない。例えば、同一プロセッサによって、ソフトウェア的に構成されてもよい。ソフトウェアはプログラムで構成される。
【０１１５】
メモリ１０７はなくてもあっても、内蔵されていてもよい。
図１では、メモリ１０７は独立の構成で、合成部１０５とＴＰＣ累積部１０６との接続線上にあるとして説明したが、別構成でも構わない。例えば、ＴＰＣ累積演算部１０６にのみ接続していても、合成部１０５にのみ接続していても、ＴＰＣ累積演算部１０６と、合成部１０５とそれぞれにメモリを備えていても、構わない。
【０１１６】
上記各実施例において、ＡＤＤ＿ＴＰＣ（ｎ）は、移動平均によって求めたが、本願発明は、この態様には限定されず、他の態様も可能である。例えば、ＴＰＣ情報にデジタルフィルタ処理を施すことでＡＤＤ＿ＴＰＣ（ｎ）を求めることができる。デジタルフィルタ処理の例としては、ローパスフィルタが挙げられ、ローパスフィルタをかけることによって、定常的な変化の影響を排除し、過剰に連続してアップ命令のＴＰＣ情報の有無のみを情報として抽出することができる。
【図面の簡単な説明】
【０１１７】
【図１】本願発明に係るＣＤＭＡ無線通信システムに使用する移動局の受信回路である。
【図２】本願発明の第１の実施例の送信電力制御の流れ図である。
【図３】本願発明の第１の実施例の送信電力制御の流れ図である。
【図４】本願発明の第1の実施例の送信電力制御の流れ図である。
【図５】本願発明の第３の実施例の送信電力制御の流れ図である。
【符号の説明】
【０１１８】
１０１  送受信アンテナ
１０２  ＲＦ部
１０３  パスサーチ回路
１０４  逆拡散部
１０５  合成部
１０６  ＴＰＣ累積演算部
１０７  メモリ
１０８  送信電力制御部
１０９  拡散部
１１０  ＴＰＣ挿入部
【図１】
2006186757.tif 000007
【図２】
2006186757.tif 000008
【図３】
2006186757.tif 000009
【図４】
2006186757.tif 000010
【図５】
2006186757.tif 000011